(57)【特許請求の範囲】
【請求項１】
遊技台に隣接して遊技媒体を貸出す遊技媒体貸出機と、
投入された遊技媒体を景品計数するための持ち運び可能な携帯型の小型景品交換装置とにおいて、
小型景品交換装置の本体部は、
上部に投入受皿と、
投入受皿から投入された遊技媒体を本体部背面に流下させる玉取込通路と、
玉取込通路に流下する遊技媒体を計数する玉計数検知部と、
本体部の背面に遊技媒体貸出機と接続する装着部とが設けられ、
該装着部には球取込通路から遊技媒体を流出させる接続通路口が備えられ、
上記遊技媒体貸出機の貸出機本体部は、
前面に小型景品交換装置と接続する取付部と、
内部に遊技媒体を一発切り計数払出が可能な遊技媒体払出し機構と玉返却通路とが設けられ、
該取付部には玉返却通路と連接する接続口が備えられ、
小型景品交換装置の装着部を遊技媒体貸出機の取付部に装着して接続した状態で、
小型景品交換装置の接続通路口と遊技媒体貸出機の接続口が接続され、
投入受皿に投入された遊技媒体は玉返却通路から回収すると共に、
投入された全数の遊技媒体を玉計数検知部で計数が終えた際に、
全投入数の計数値が景品交換との所要数を超えた場合に過剰数の遊技媒体を遊技媒体払出し機構より払い出すことを可能にした遊技媒体貸出機と携帯型の小型景品交換装置。
【発明の詳細な説明】
【技術分野】
【０００１】
本発明は、投入された遊技媒体（パチンコ玉又はメダル等）を、小景品（飲物又は煙草等）と交換することができる小型景品交換装置に係り、特に、店員が持ち運び可能な大きさと成した小型景品交換装置を遊技媒体貸出機の正面又は近接する天板に装着し、該小型景品交換装置にて小景品と交換した際、投入された遊技媒体をその場所から遊技島内に戻すことを可能にした携帯型の小型景品交換装置に関する。
【背景技術】
【０００２】
パチンコ遊技店は、複数台１５台乃至２０台程度の遊技機と遊技媒体貸出機とを隣接し、直線状に配設（背中合わせの横方向）させた遊技島が構築されている。上記遊技島は、パチンコ玉にて遊技する遊技機（パチンコ台）であれば、隣接する遊技媒体貸出機は、パチンコ玉貸出機が配設され、メダルにて遊技する遊技機（スロットマシン）であれば、隣接する遊技媒体貸出機は、メダル貸出機が配設されることになる。
【０００３】
遊技客は、パチンコ遊技店に配設された遊技媒体貸出機によって、遊技媒体を貸出し遊技機によって遊技を開始する。
遊技客は、遊技中において獲得した遊技媒体の全てそのまま換金する場合もあるが、遊技している時、持参した煙草がなくなり、新規な煙草が欲しい時や、飲物等が欲しい時がある。この時、現金にて購入せず、獲得した遊技媒体をカウンターに持参して景品と交換して入手している。このように遊技客が遊技中、景品と交換する場合、一旦遊技を中断していた。そのため、パチンコ遊技店にとっては、離席した時間分、稼動率が低下することになる。以下、煙草や飲物等を小景品として説明する。
【０００４】
昨今、下記した特許文献において、店員が、小景品を搭載し遊技場を巡回するサービスワゴンによって要求があった遊技客の席まで出向き、所定数の景品と、獲得した遊技媒体とを交換することができるようになっている。
例えば、景品交換としては、煙草の場合、遊技媒体（パチンコ玉約６０発、メダル約１５枚）飲物等の場合、遊技媒体（パチンコ玉約２７発、メダル約５枚）と交換している。
【特許文献１】特開平９−２９００６５号公報
【特許文献２】特開平９−２９００６６号公報
【発明の開示】
【発明が解決しようとする課題】
【０００５】
上記した何れの特許文献においても、煙草や飲物等の小景品が搭載されたサービスワゴンの構成と成し、店員が遊技場内の各遊技島の通路を巡回していて要求があるとその席に出向き、獲得した遊技媒体と所望する景品とをその場で行い、交換していた。そのため、遊技客はカウンターまでわざわざ出向く必要がなくなり、サービス向上につながる。
店内を巡回するサービスワゴンは、底部四隅に設けたキャスタにて移動自在と成し、店員が上部の手押しハンドルを押すことによって移動するように構成されている。
【０００６】
しかしながら、上記した構成のサービスワゴンによって、遊技客に対してはサービス向上になる反面、遊技店にとっては、景品交換専用の高価なサービスワゴンを新たに購入しなくてはならず、設備費用（導入費用）が負担となっていた。また、遊技店の遊技島の配置によっては狭い遊技島間の通路を移動するため、移動操作する際、誤って遊技客に衝突してしまう恐れがあり、通路の椅子の間には獲得した玉箱を重ねて積まれているため、通路幅が狭くなり移動し難く要求のあった遊技客の席まで出向く時間を要していた。特に、景品交換した後の遊技媒体は、筐体内部に設けた玉収容容器内に一旦収容され、後で玉収容容器を取外し遊技場内に返却する作業を行う必要があり、面倒な作業となっていた。
さらに、サービスワゴンの筐体内部に設けた玉収容容器は、スペース上、大きい容器を設けることができず、巡回途中で満杯となり、その都度返却作業を行っていた。
【０００７】
本発明は、以上の点に鑑みなされたもので、店員は、狭い通路であっても素早く小型軽量で持ち運びが可能な携帯型の小型景品交換装置を遊技媒体貸出機の正面又は近接する天板に装着するだけで、その場にて小景品と交換することができ、然も投入された後の遊技媒体はその場所から遊技島内に戻すことを可能にした、携帯型の小型景品交換装置を提供する。
【課題を解決するための手段】
【０００８】
本発明の構成は、遊技台に隣接して遊技媒体を貸出す遊技媒体貸出機と、投入された遊技媒体を景品計数するための持ち運び可能な携帯型の小型景品交換装置とにおいて、小型景品交換装置の本体部は、上部に投入受皿と、投入受皿から投入された遊技媒体を本体部背面に流下させる玉取込通路と、玉取込通路に流下する遊技媒体を計数する玉計数検知部と、本体部の背面に遊技媒体貸出機と接続する装着部とが設けられ、該装着部には球取込通路から遊技媒体を流出させる接続通路口が備えられ、上記遊技媒体貸出機の貸出機本体部は、前面に小型景品交換装置と接続する取付部と、内部に遊技媒体を一発切り計数払出が可能な遊技媒体払出し機構と玉返却通路とが設けられ、該取付部には玉返却通路と連接する接続口が備えられ、小型景品交換装置の装着部を遊技媒体貸出機の取付部に装着して接続した状態で、小型景品交換装置の接続通路口と遊技媒体貸出機の接続口が接続され、投入受皿に投入された遊技媒体は玉返却通路から回収すると共に、投入された全数の遊技媒体を玉計数検知部で計数が終えた際に、全投入数の計数値が景品交換との所要数を超えた場合に過剰数の遊技媒体を遊技媒体払出し機構より払い出す構成としたことで達成される。
【発明の効果】
【００１０】
以上、本発明の構成によれば、上記した移動するサービスワゴンに比べ、遊技店にとっては安価な設備費用（導入費用）で済む。また、遊技店の遊技島の配置によって狭い遊技島間の通路や獲得した玉箱が重ねて積まれて狭くなった通路であっても店員は、小型で持ち運びが可能な携帯型と成しているため、遊技客に衝突することなく、素早く要求のあった遊技客（席）まで出向くことができる。
特に、景品交換した後の遊技媒体はその場所（貨出機本体部内部若しくは天板下方内部）から遊技島内の回収樋に返却（戻す）することによって、サービスワゴンの筐体内部に設けた玉収容容器にて行っていた面倒な返却する作業がなくなり、店員の作業がより一層軽減される。
【発明を実施するための最良の形態】
【００１１】
以下、図面に示した実施形態を詳細に説明する。
図１はパチンコ玉貸出機の正面に小型景品交換装置を装着した時の外観斜視図であり、図２はパチンコ玉貸出機の正面に小型景品交換装置を装着した時の内部構成を示す側面図であり、図３はパチンコ玉貸出機の正面から小型景品交換装置を取外した時の外観斜視図であり、図４は本発明の小型景品交換装置の外観斜視図であり、図５は小型景品交換装置の側面図である。
【実施例１】
【００１２】
パチンコ遊技店においては、複数台１５台乃至２０台程度の遊技機と遊技媒体貸出機とを隣接し、直線状に配設させた遊技島が構築されている。上記遊技島は、パチンコ玉にて遊技する遊技機（パチンコ台）であれば、隣接する遊技媒体貸出機は、パチンコ玉貸出機が配設され、メダルにて遊技する遊技機（スロットマシン）であれば、隣接する遊技媒体貸出機は、メダル貸出機が配設される。なお、ここでの実施形態の説明においては、メダル貸出機は図示せず、省略するが同様の効果を有している。つまり、景品交換した後の遊技媒体であるメダルはその場所（貨出機本体部内部若しくは天板下方内部）から遊技島内のメダル回収装置に戻され、回収される。
【００１３】
図１乃至図５においての実施形態は、小型景品交換装置にて景品交換した後のパチンコ玉はその場所のパチンコ玉貸出機（貨出機本体部内部）を経由して遊技島内の回収樋に返却（戻す）する構成としている。また、後述する図６乃至図１１における他の実施形態は、小型景品交換装置にて景品交換した後のパチンコ玉はその場所（天板下方内部）を経由して遊技島内の回収樋に返却（戻す）する構成としている。
【００１４】
始めに、パチンコ玉貸出機（貨出機本体部内部）を経由して遊技島内の回収樋に戻す構成について詳述する。
図１乃至図３に示すように、パチンコ玉貸出機は後述する携帯型の小型景品交換装置が正面の中央付近に、装着（着脱）できる構成を備えている点が特徴であり、さらに貨出機本体部内部を経由して遊技島内の回収樋に戻す構成も備えられている。よって、一対（セット販売）として販売が可能となる。以下、小型景品交換装置（パチンコ玉用）として説明する。
一般的に現金を投入して貸出すタイプのパチンコ玉貸出機２は、フレームと、略長方形状から成る約４０ミリ幅の貸出機本体部２ａとから形成されていて、該貸出機本体部２ａの正面には貨幣類投入口２ｂ（紙幣、硬貨）と貨幣返却口と玉供給樋付玉払出し装置２ｃが備えられ、また、内部には遊技媒体払出し機構２ｅ（一発玉切り計数機構）と貨幣類識別装置と貨幣返却通路と制御部（何れも不図示）を備えた構成と成している。本発明のパチンコ玉貸出機２は、上記した構成に加え、さらに特徴となる新たな構成が備えられている。
【００１５】
図３に示すように、パチンコ玉貸出機２の貸出機本体部２ａの正面の中央付近には、取付部８と雌コネクタ８ｄが備えられている。取付部８と雌コネクタ８ｄの前面は鍵付の開閉自在の開閉扉８ａが設けられている。通常、玉貸時においては不使用なので開閉扉８ａは閉じられている。後述する小型景品交換装置１０にて景品交換する時、使用することから店員が所持している鍵により開閉扉８ａが開くようになっている。
取付部８の開閉扉８ａを開けると、上方側に係止部としての係止具８ｂと接続口８ｃと雌コネクタ８ｄが備えられている。この取付部８に、後述する小型景品交換装置１０の背面に設けた装着部１６のロック部としての係止ロック爪１６ｂと接続通路口１６ｃと雄コネクタ１６ｄが装着され、着脱自在の構成と成している。
貸出機本体部２ａの内部の中央付近には、下方傾斜した玉返却通路２ｄが設けられている。該玉返却通路２ｄは、後述する小型景品交換装置１０に投入されたパチンコ玉を遊技島内の回収樋に戻すための玉通路の役割と成している（図２参照）。また、内部に備えた遊技媒体払出し機構２ｅを利用して、計数交換時、余玉が生じた場合、計数して払出すように制御させている。
【００１６】
上記パチンコ玉貸出機２の正面に設けた貨幣類投入口２ｂは、貨幣（流通している紙幣及び５００円硬貨）でも良く、貨幣の場合は内部に貨幣識別装置が備えられ、投入される貨幣の正偽及び金種の識別を行う。また、カード類（磁気カード及びＩＣカード或いはＩＣコイン等）でも良く、カード類の場合は内部にカード類識別装置（不図示）が備えられ、投入されるカード類の正偽等の識別を行う。なお、図示しないが、カード類投入口のＣＲパチンコ玉貸出機（カードユニット等）において、計数交換時、余玉が生じた場合、遊技機内部の遊技媒体払出し機構（賞球一発玉切り計数機構）から余玉が払出される。
【００１７】
次に、本発明の携帯型の小型景品交換装置１０の構成について詳述する。ここでの小型景品交換装置１０は、パチンコ玉と交換可能な仕様の構成として説明する。
図４及び図５に示すように、小型景品交換装置１０は、上部に投入受皿１４ａ及び握手具１４ｃと、正面に景品交換用の選択ボタン等の第一操作部１２及びレシート排出口１４ｇと、背面に装着部１６及び雄コネクタ１６ｄとを備えた本体部１４と、該本体部１４の内部の玉計数検知部１４ｅ及びレシート発行器１４ｆ、制御部１４ｈと、から大略構成されている。例えば、小型景品交換装置１０の外観寸法は、幅約７０ミリ×奥行き約８０ミリ×高さ約１４０ミリの大きさの長方形状に形成されているため、小型な大きさと成り、パチンコ玉貸出機２の貸出機本体部２ａの幅スペースであっても取付けることができる。
よって、図１のように上記した小型景品交換装置１０は、パチンコ台１に隣接する貸出機本体部２ａの中央付近の取付部８に取付けられる。このように貸出機本体部２ａの中央付近の高さに装着することにより、店員は、装着し易く、然もパチンコ玉が投入受皿１４ａに投入し易い。
【００１８】
上部の投入受皿１４ａは、投入されたパチンコ玉を本体部１４の内部の玉計数検知部１４ｅに導くように下方傾斜板１４ｂを有した凹形状に形成され、本体部１４の上部と着脱するように取付けられている。下方傾斜板１４ｂの終端には玉取込通路１４ｄが連通されている。なお、上記投入受皿１４ａが本体部１４から着脱できることにより、玉取込通路１４ｄでの玉詰まり、若しくは玉計数検知部１４ｅの故障、交換時に対応できるようになっている。
また、上部中央には店員が小型景品交換装置１０を持ち運ぶ際、使用する握手具１４ｃが設けられている。握手具１４ｃは、回動自在と成すように本体部１４の側面の軸に軸支されている。使用時（図３）は、握手具１４ｃを回動し持ち上げることにより握手機能と成り、不使用時（図２）は、元の後方位置に回動させると水平状態（本体部の上部にて停止）に戻るため邪魔にならない。このように上部中央に設けた握手具１４ｃによって、店員は持ち運びが容易となる。
【００１９】
景品交換時、店員が操作する選択ボタン等含む第一操作部１２は、本体部１４の正面位置に設けられている。図４に基づいて、第一操作部１２の各選択ボタンについて説明する。
例えば、第一操作部１２の選択ボタンは、例えば上段に各種飲物選択ボタン１２ａ、下段に各種煙草選択ボタン１２ｂが各々三個設けられ、決定ボタン１２ｃ、取消ボタン１２ｄが各々一個設けられている。
上段の飲物選択ボタン１２ａは、飲物の種類によって選択でき、その種類によって玉数を異ならせている。例えば飲物の種類は、２５発ボタン、３０発ボタン、４０発ボタンとし、遊技客の好みに応じて何れかが選択できる。下段の煙草選択ボタン１２ｂは、煙草の種類によって選択でき、その種類によって玉数を異ならせている。例えば煙草の種類は、６０発ボタン、７０発ボタン、８０発ボタンとし、遊技客の好みに応じて何れかが選択できる。ここでの説明は、予め交換する数が決められた選択ボタン式の実施形態と成している。決定ボタン１２ｃは、遊技客が何れかを選択し決定した際操作するボタンで、取消ボタン１２ｄは、選択した際誤った際、キャンセルする操作するボタンである。なお、ここで第一操作部１２の選択ボタンの個数、種類等に限定されるものでない。
また、第一操作部１２の下方の正面位置にはレシート排出口１４ｇが設けられている。レシート排出口１４ｇは、本体部１４の内部に備えたレシート発行器１４ｆから発行されたレシートを排出するように突出して開口されている。なお、上記した選択ボタン等含む第一操作部の構成とせず、数字テンキー等を含む他の第二操作部の構成としても良い。
【００２０】
装着部１６及び雄コネクタ１６ｄは、図５に示すように本体部１４の背面に設けられている。装着部１６及び雄コネクタ１６ｄは、上述した貸出機本体部２ａの正面に設けた取付部８と雌コネクタ８ｄに装着するためのものである。
装着部１６の背面側には、上面に凸状の装着突部１６ａを形成し、該装着突部１６ａには、上方側に係止ロック爪１６ｂと、貸出機本体部２ａの接続口８ｃと接続するよう開口した接続通路口１６ｃと、雄コネクタ１６ｄとが備えられている。装着部１６の装着突部１６ａは、突出して形成されていて貸出機本体部２ａの取付部８に取付けた時、隙間が生じ且つ間座の機能と成るため装着し易い（図２参照）。装着突部１６ａの下方側には、貸出機本体部２ａの雌コネクタ８ｄに接続するための雄コネクタ１６ｄが設けられている。上述した貸出機本体部２ａの雌コネクタ８ｄに、小型景品交換装置１０の本体部１４背面の雄コネクタ１６ｄを差込み接続すると遊技媒体貸出機２の貸出機本体部２ａからの電源（ＡＣ２４Ｖ）が供給されるため、本発明の小型景品交換装置１０は大きく、重い電源部（バッテリー等）を備えなくても、各遊技媒体貸出機２の任意の位置で使用（景品交換作業）することができ、持ち運びする際、軽量となる。
【００２１】
なお、ここでは遊技媒体貸出機２の貸出機本体部２ａからの電源が供給する構成としたが、小型景品交換装置１０の本体部１４に小さくコンパクトな充電式電源部（バッテリー）を底面側から挿入し搭載して作動させるようにしても良い。
【００２２】
本体部１４の内部には玉取込通路１４ｄと玉計数検知部１４ｅ及びレシート発行器１４ｆ、制御部１４ｈとが備えられている。
玉取込通路１４ｄは、下方に向かって傾斜状に設けられた玉通路と成し、上記投入受皿１４ａの下方傾斜板１４ｂの終端と、上記装着突部１６ａの接続通路口１６ｃの始端と接続し、連通していている。また、玉取込通路１４ｄの終端寄りの位置には、光センサー等から成る玉計数検知部１４ｅが備えられている。
よって、上部の投入受皿１４ａに景品交換用として投入されたパチンコ玉は、下方傾斜板１４ｂを一個ずつ転動して内部に取込まれ、一列と成したパチンコ玉が玉取込通路１４ｄを通過する際、通過した数が玉計数検知部１４ｅによってカウントされ、カウントされたパチンコ玉は接続通路口１６ｃを介して遊技媒体貸出機２の貸出機本体部２ａ内の玉返却通路２ｄを通過して遊技島内（回収樋等）に戻される。その結果、景品交換した後の遊技媒体はその場所の貨出機本体部２ａ内部から遊技島内に戻されるため、後で返却する作業がなくなる。
【００２３】
レシート発行器１４ｆは、本体部１４の内部の下方側に備えられ、上記した玉計数検知部１４ｅで計数処理した際の計数玉をレシート（バーコード印字等）にて発行するためのものである。なお、レシート発行器１４ｆは周知の技術（レシートがロールされた機構等）から構成されたものを採用している。
上記玉計数検知部１４ｅにて計数された結果は、レシート発行器１４ｆによってレシートに印字され、レシート排出口１４ｇから排出し発行される。発行されたレシートの処理は、例えば店員が所持している不図示の景品交換端末器（ＰＯＳ端末器等）によって読み出し、小景品と交換することができる。景品交換端末器によって、遊技店は、景品交換したデータが管理され、通信接続されている不図示のホールコンピュータに売上げデータとして送信される。上記景品交換処理において、選択した景品数に対し、誤って多く投入した場合（余玉）は、貸出機本体部２ａの内部に備えた遊技媒体払出し機構２ｅ（一発玉切り計数機構）を介して余分な数だけ計数し、玉供給樋付玉払出し装置２ｃから上皿に返却することができる。なお、上皿に返却せず、貯玉会員カードにデータとして記録するようにしても良い。
【００２４】
以上、説明した景品交換用の選択ボタン等含む第一操作部１２、玉取込通路１４ｄの玉計数検知部１４ｅ、装着突部１６ａの雄コネクタ１６ｄ、レシート発行器１４ｆ等の構成における電気的制御は制御基板等から成した制御部１４ｈによって、電気的に関連付けられ動作制御する。このとき、電源元は上述した貸出機本体部２ａの雌コネクタ８ｄに、小型景品交換装置１０の本体部１４背面の雄コネクタ１６ｄを差込み接続すると、遊技媒体貸出機２の貸出機本体部２ａからの電源（ＡＣ２４Ｖ）が供給されることによって動作するようになっている。雌コネクタ８ｄと、雄コネクタ１６ｄとを接続することによってコンセントと略同じ効用の働きが行なわれる。なお、遊技媒体貸出機２の貸出機本体部２ａからの電源はＡＣ２４Ｖでなく、電源（ＡＣ１００Ｖ）であっても良い。
【００２５】
次に、パチンコ玉貸出機２の正面中央付近に備えた取付部８と雌コネクタ８ｄに、携帯型の小型景品交換装置１０の装着部１６と雄コネクタ１６ｄを装着（取付る）する作業を説明する。小型景品交換装置１０は、店員が携帯していて、要求（呼び出しランプ等）のあった遊技客があると、その席に出向き、パチンコ玉と所望の小景品と交換する際、使用される。
【００２６】
通常、パチンコ玉貸出機２の正面に設けた開閉扉８ａは、玉貸時においては不使用（景品交換しない）なので閉じられている。
ある遊技客からの要求で景品交換要求があった場合、店員は携帯型の小型景品交換装置１０の握手具１４ｃを持って、要求のあった遊技客の席に出向く。景品交換であることを確認した後、専用の開錠鍵によって鍵操作し、開閉扉８ａを開放する（図３）。
そして、パチンコ玉貸出機２の中央付近に備えた取付部８と雌コネクタ８ｄに、小型景品交換装置１０の装着部１６と雄コネクタ１６ｄを前面側より、差し込むようにして装着する。図２のように、正面から装着すると、係止具８ｂと係止ロック爪１６ｂにより係止してロック保持され、接続口８ｃと開口した接続通路口１６ｃとが連通し、同時に雌コネクタ８ｄと雄コネクタ１６ｄとが接合によって電源供給可能となり、小景品との交換作業が行える。景品交換が終了した後は、解除するボタン（不図示）操作すると、ロック保持が解消され、手前方向に抜き出すことによって、小型景品交換装置１０を容易に取外すことができる。以上の操作によって、遊技媒体貸出機２の貨出機本体部２ａの正面から、携帯型の小型景品交換装置１０を着脱操作することが可能となる。
【００２７】
以上、説明した小型景品交換装置１０における景品交換時（遊技客、店員の景品交換作業）の作用を説明する。なお、景品交換時における操作部は、第一操作部１２での操作とする。
例えば、遊技客が飲物（２５発）と景品交換する場合、
遊技媒体貸出機２の開閉扉８ａを開け、携帯型の小型景品交換装置１０を正面の位置に装着する。店員は、遊技客が交換したい飲物２５発と要望されると、該当する選択ボタン１２ａを押す。投入受皿１４ａに遊技客から手渡されたパチンコ玉を投入する。２５発丁度のパチンコ玉が投入され、計数後、レシート排出口１４ｇからレシートが発行される。店員が籠等に所持している飲物と交換することができる。店員は、このレシートを景品交換端末器にて入力する。小型景品交換装置１０に投入されたパチンコ玉は貨出機本体部２ａ内部の玉返却通路２ｄを通過して遊技島内に戻される。なお、誤って２８発のパチンコ玉を投入した場合、余分の数、３発が貨出機本体部２ａ内部の遊技媒体払出し機構２ｅから計数され、払い戻される。
【００２８】
次に、小型景品交換装置をパチンコ玉貸出機の天板に近接する位置に装着し、景品交換した後のパチンコ玉をその場所（天板下方内部）を経由して遊技島内の回収樋に戻す他の実施形態の構成について詳述する。
【００２９】
図６はパチンコ玉貸出機の各天板部位に小型景品交換装置を装着した時の外観斜視図であり、図７は同上側面図であり、図８はパチンコ玉貸出機の各天板部位から小型景品交換装置を取外した時の外観斜視図であり、図９は同上側面図であり、図１０は本発明の他の実施形態の小型景品交換装置の外観斜視図であり、図１１は同上側面図である。
パチンコ台１に隣接され、一般的に現金を投入して貸出すタイプのパチンコ玉貸出機３２は、フレームと略長方形状から成る約４０ミリ幅の貸出機本体部３２ａとから形成されていて、該貸出機本体部３２ａの正面には貨幣類投入口３２ｂ（紙幣、硬貨）と貨幣返却口と玉供給樋付玉払出し装置３２ｃが備えられ、また、内部には遊技媒体払出し機構（一発玉切り計数機構）と貨幣類識別装置と貨幣返却通路と制御部（何れも不図示）を備えた構成と成している。
【００３０】
図６乃至図９に示すように、パチンコ玉貸出機３２の各天板３０部位（前方位置毎）に後述する携帯型の小型景品交換装置２０が装着（着脱）できる構成を備えている点が特徴であり、さらに天板３０下方内部を経由して遊技島内の回収樋に戻す構成が備えられている。よって、一対（セット販売）として販売が可能となる。以下、小型景品交換装置２０（パチンコ玉用）として説明する。上述したパチンコ玉貸出機の構成と相違する点のみ説明し、同じ構成については説明を省略する。
【００３１】
図８に示すように、パチンコ玉貸出機３２の貸出機本体部３２ａの下方の位置には開閉自在の開閉扉３２ｄが備えられている。該開閉扉３２ｄの裏面には取付部２８と雄コネクタ３２ｅが設けられている。また、開閉扉３２ｄの前面は鍵（施錠装置）が設けられている。通常、玉貸時においては不使用なので開閉扉３２ｄは閉じられている。後述する小型景品交換装置２０にて景品交換する時、使用することから店員が所持している鍵により開閉扉３２ｄを開き、天板３０に上面に当接して係止（略水平姿勢維持）するようになっている。
開閉扉３２ｄを開けると、略水平姿勢に維持され、裏面の取付部２８に後述する小型景品交換装置２０の底面に設けた装着部２６とが装着し、同時に裏面の雄コネクタ３２ｅに後述する小型景品交換装置２０の背面に設けた雌コネクタ２６ｄとが接合して電源供給され、装着部２６と取付部２８とが着脱自在の構成と成している。
さらに天板３０の取付部２８に小型景品交換装置２０の装着部２６を装着すると、取付部２８の接続口２８ｃと、装着部２６の底面の接続通路口２６ｃとが接合し、小型景品交換装置２０に投入され計数後のパチンコ玉は傾斜する天板返却通路３０ａを通って遊技島内の回収樋へと導かれていく（図７参照）。
【００３２】
天板３０の各部位には取付部２８と接続口２８ｃが設けられている。該接続口２８ｃの上面には開閉する開閉蓋２８ａが備えられている。この開閉蓋２８ａにも鍵（施錠装置）が設けられている。
天板３０の各部位に設けた取付部２８及び係止部２８ｂと、後述する小型景品交換装置２０の底面の装着部２６及びロック部２６ｂとが嵌合するため、装着時においてパチンコ玉が零れることがなく、装着時の位置合わせが行われる。上記接続口２８ｃに連通して、下方傾斜する玉返却玉通路３０ａが設けられている。該玉返却玉通路３０ａは、後述する小型景品交換装置２０に投入されたパチンコ玉を遊技島内の回収樋に戻すための玉通路の役割と成している。通常、玉貸時においては不使用なので開閉蓋２８ａは閉じられている。後述する小型景品交換装置２０にて景品交換する時、使用することから店員が所持している鍵により開閉蓋２８ａを開き装着する。
【００３３】
次に、上述した景品交換した後のパチンコ玉をその場所（天板下方内部）を経由して遊技島内の回収樋に戻す際、使用する携帯型の小型景品交換装置２０の構成について詳述する。なお、ここでの小型景品交換装置２０も、パチンコ玉と交換可能な仕様の構成として説明する。小型景品交換装置２０の構成については、上述した小型景品交換装置１０の構成と相違する点のみ説明し、同じ構成については説明を省略する。
【００３４】
図１０及び図１１に示すように小型景品交換装置２０は、上部に投入受皿２４ａと下方傾斜板２４ｂ及び握手具２４ｃと、正面に景品交換用の選択ボタン等の第一操作部２２及びレシート排出口２４ｇと、底面にロック部２６ｂと接続通路口２６ｃから成る装着部２６を備えた本体部２４と、該本体部２４の背面には装着曲部２６ａが設けられ、該装着曲部２６ａの先端に雌コネクタ２６ｄが備えられ、さらに該本体部２４の内部には下方傾斜板２４ｂに連接する玉取込通路２４ｄと、玉計数検知部２４ｅ及びレシート発行器２４ｆ、制御部２４ｈと、から大略構成されている。例えば、小型景品交換装置２０の外観寸法は、幅約７０ミリ×奥行き約８０ミリ×高さ約１４０ミリの大きさの長方形状に形成されているため、小型な大きさと成り、パチンコ玉貸出機３２の前方位置の天板３０の幅スペースであっても取付けることができる。よって、図６のように上記した小型景品交換装置２０は、パチンコ台に隣接するパチンコ玉貸出機３２の前方位置の天板３０の取付部２８に取付けられる。このように天板３０付近の高さに装着することにより、店員は、より一層装着し易く、パチンコ玉を投入受皿２４ａに投入し易く、然も遊技中の遊技客に邪魔にならず、遊技したままでも景品と交換することができる。
【００３５】
上述した貸出機本体部３２ａの開閉扉３２ｄを開けた姿勢の雄コネクタ３２ｅに、小型景品交換装置２０の本体部２４背面の雌コネクタ２６ｄを差込み接続すると遊技媒体貸出機３２の貸出機本体部３２ａからの電源（ＡＣ２４Ｖ）が供給されるため、ここでの小型景品交換装置２０は大きく、重い電源部（バッテリー等）を備えなくても、各遊技媒体貸出機３２の位置で使用（景品交換作業）することができ、持ち運びする際、軽量となる。
なお、遊技媒体貸出機３２の貸出機本体部３２ａからの電源はＡＣ２４Ｖでなく、電源（ＡＣ１００Ｖ）であっても良い。
【００３６】
通常、パチンコ玉貸出機３２の正面下部に設けた開閉扉３２ｄは、玉貸時においては不使用（景品交換しない）なので閉じられている。
ある遊技客からの要求で景品交換要求があった場合、店員は携帯型の小型景品交換装置２０の握手具２４ｃを持って、要求のあった遊技客の席に出向く。景品交換であることを確認した後、専用の開錠鍵によって鍵操作し、開閉扉３２ｄと開閉蓋２８ａを開放する（図９）。そして、天板３０の各部位に備えた取付部２８の雄コネクタ３２ｅに、小型景品交換装置２０の装着部２６と雌コネクタ２６ｄを上方より、乗せるようにして装着する。
図７のように、上面から装着すると、係止部２８ｂとロック部２６ｂにより嵌合してロック保持され、接続口２８ｃと開口した接続通路口２６ｃとが連通し、同時に雌コネクタ２６ｄと雄コネクタ３２ｅとが接合によって電源供給可能となり、小景品との交換作業が行える。景品交換が終了した後は、解除するボタン（不図示）操作すると、ロック保持が解消され、上方方向に抜き出すことによって、小型景品交換装置２０を容易に取外すことができる。以上の操作によって、遊技媒体貸出機３２の前方の天板３０各部位の正面から、携帯型の小型景品交換装置２０を着脱操作することが可能となる。
【００３７】
例えば、遊技客が飲物（２５発）と景品交換する場合、
遊技媒体貸出機３２の開閉扉３２ｄと開閉蓋２８ａを開き、携帯型の小型景品交換装置２０を天板３０の位置に装着する。店員は、遊技客が交換したい飲物２５発と要望されると、該当する選択ボタン２２ａを押す。投入受皿２４ａに遊技客から手渡されたパチンコ玉を投入する。２５発丁度のパチンコ玉が投入され、計数後、レシート排出口２４ｇからレシートが発行される。店員が籠等に所持している飲物と交換することができる。店員は、このレシートを景品交換端末器にて入力する。小型景品交換装置２０に投入されたパチンコ玉は天板３０下部の天板返却通路３０ａ内を通過して遊技島の回収樋に戻される。なお、誤って２８発のパチンコ玉を投入した場合、余分の数、３発が貨出機本体部３２ａ内部の遊技媒体払出し機構から計数され、払い戻される。
【００３８】
上述した小型景品交換装置１０、２０の構成は、飲物等や煙草の小景品との交換に使用する説明としたが、計数処理が素早く行える機構を設ければ、遊技客が獲得した多量のパチンコ玉を投入して計数処理することも可能である。よって、閉店時等、遊技客はその席にて獲得したパチンコ玉をすべて計数処理することができる。
【図面の簡単な説明】
【００３９】
【図１】貸出機本体部の正面に小型景品交換装置を装着した時の外観斜視図である。
【図２】貸出機本体部の正面に小型景品交換装置を装着した時の内部構成を示す側面図である。
【図３】貸出機本体部の正面から小型景品交換装置を取外した時の外観斜視図である。
【図４】本発明の小型景品交換装置の外観斜視図である。
【図５】本発明の小型景品交換装置の側面図である。
【図６】各天板部位に小型景品交換装置を装着した時の外観斜視図である。
【図７】同上側面図である。
【図８】各天板部位から小型景品交換装置を取外した時の外観斜視図である。
【図９】同上側面図である。
【図１０】本発明の他の実施形態の小型景品交換装置の外観斜視図である。
【図１１】同上側面図である。
【符号の説明】
【００４０】
２      遊技媒体貸出機（パチンコ玉貸出機）
２ａ    貸出機本体部
２ｅ    遊技媒体払出し機構（一発玉切り玉計数機構）
２ｄ    玉返却通路
８      取付部
８ｂ    係止部
８ｃ    接続口
８ｄ    雌コネクタ
１０    小型景品交換装置
１２    第一操作部
１４    本体部
１４ａ  投入受皿
１４ｅ  玉計数検知部
１６    装着部
１６ｂ  ロック部
１６ｃ  接続通路口
１６ｄ  雄コネクタ
２０    小型景品交換装置（他の実施形態）
２４    本体部
２６    装着部
２６ｂ  ロック部
２６ｃ  接続通路口
２６ｄ  雌コネクタ
２８    取付部
２８ａ  開閉扉
２８ｂ  係止部
２８ｃ  接続口
３０    天板
３０ａ  天板返却通路
３２ｄ  開閉蓋
３２ｅ  雄コネクタ
【図１】
0004610177.tif 000002
【図２】
0004610177.tif 000003
【図３】
0004610177.tif 000004
【図４】
0004610177.tif 000005
【図５】
0004610177.tif 000006
【図６】
0004610177.tif 000007
【図７】
0004610177.tif 000008
【図８】
0004610177.tif 000009
【図９】
0004610177.tif 000010
【図１０】
0004610177.tif 000011
【図１１】
0004610177.tif 000012